(57)【要約】【課題】独楽を回すときに用いる改良された独楽紐及び独楽紐の製法に関する。【解決手段】独楽紐は麻、綿及び合成樹脂の繊維、糸、紐を撚り合わせて構成するが、本発明は基をなす紐である撚り紐１を２つ折りし、その中央点で２つに分け、それぞれの側の数カ所に所定の長さを持つ繊維、糸、紐を束とした撚り紐２や撚り紐３を縛り付け、撚り紐１と複数の撚り紐２または撚り紐３を個々に撚り合わせて、さらに撚り上がった紐を撚り合わせて、最後に撚りが解けないように手元部で結び合わせ、結び目の反対側の繊維等を解して整えた独楽紐及び独楽紐製造法。【選択図】図１
2015051244.tif 000002
【特許請求の範囲】
【請求項１】
独楽を回す独楽紐で太さとしなやかさが先端から手元部との間で変化する独楽紐において、基をなす独楽紐の撚り紐１を中央で折り返し、折り返し点からの複数距離点にて、独楽紐の太さやしなやかさを変える繊維、糸及び紐あるいはそれらの組み合わせ  ｋである撚り紐２及び撚り紐３と撚り紐１に結び合わせ、撚り紐１と撚り紐２または撚り紐３と共に個々及び隣り合った撚り紐２または撚り紐３並びに全体を撚り合わせ、手元部にて解けるのを防ぐための結び目を作り、結び目からはつれた紐部分を解き、長さをそろえた独楽紐及び独楽紐製造法。
【請求項２】
請求項１の撚り紐２及び撚り紐３の紐は、撚り紐１の複数の位置で撚り紐１と結び合わせたあとの長さは撚り紐１の残余の長さ以上の長さを有して、太さ調整する撚り紐２及び撚り紐３である独楽紐及び独楽紐製造法。
【請求項３】
請求項１及び請求項２の撚り紐２及び撚り紐３には、本来の太さ調整用の繊維、糸及び紐の他に、着色した繊維、糸及び紐並びに箔糸を撚り紐２及び撚り紐３の太さが変わらない範囲内にて含める独楽紐及び独楽紐製造法。
【発明の詳細な説明】
【技術分野】
【０００１】この発明は、独楽を回すときに用いる独楽紐及び独楽紐の製法に関する。
【背景技術】
【０００２】独楽紐は、麻や綿の繊維で先端部では細く、手元部が太くなるように、先端部から手元部に行くに従い材料の麻や綿繊維を追加して縄状に撚り合わせて、先端部と手元部にほどけ防止を目的に結び目を設けたものが用いられる。
【先行技術文献】
【特許文献】
【０００３】
【特許文献１】実用新案出願公告第３０９９５号
【特許文献２】公開実用新案公報  昭６３−５０３８９号
【非特許文献】
【０００４】
【非特許文献１】インターネッタウン株式会社  和みいちばん  の二番目の写真（ＵＲＬ：ｈｔｔｐ：／／ｗｗｗ．ｎａｇｏｍｉ１ｂａｎ．ｃｏｍ／ｋｏｍａ／ａ１−０１−０１−．ｈｔｍｌ）
【発明の概要】
【発明が解決しようとする課題】
【０００５】非特許文献１に示される独楽紐は、図４に示すように先端と末端に結び目を設けて、その間先端から手元部に至るに従い素材の麻や綿繊維を追加して、次第に太くなるように縄のように撚り合わせており、先端及び手元部の結び目は撚り合わせた独楽紐が解けないように縛っておくものである。【０００６】しかし、独楽紐は特許文献１や特許文献２に示すように独楽本体の傾斜部分に強く巻き付けておき、手元部側を保持しながら独楽を放り投げることで、独楽紐から独楽に回転力を伝えることで独楽を回す。したがって、先端部は特許文献１に示すように細くしなやかに撚り合わせてておき、独楽の傾斜部分に巻き付けておく必要がある。【０００７】また、先端部の結び目は、この結び目部分が独楽への独楽紐の巻き付けに支障とならないように特許文献２第３図のように独楽の縦方向の周回まき付けを要する。【０００８】上記のように先端部を柔らかく、しかも細く撚り合わせる必要性から使っているうちに撚り合わせが解けてしまい、きつく独楽に巻き付けることができなくなる。【０００９】独楽紐は麻や綿の繊維を手元端部方向に撚り合わせ時に追加し、次第に太く撚り合わせるので、個々の独楽紐の区別は手元部の解いた繊維部分に色分けするだけであり、美的にも十分ではない。
【課題を解決するための手段】
【００１０】独楽紐の耐久性や美的配慮のため鋭意検討の結果、独楽紐を構成する紐をいくつかの紐体に分け、撚り合わせることにより先端部から手元部まで紐の太さが変わるように計画的に撚り合わせる方法により図１のように先端部は細く、手元部は太くし、手元部の結び目にて独楽を回す力を生む構成としている。【００１１】図２に示すように独楽紐の基となる撚り紐１を所定の長さの２分の１の点を起点Ｏとして、この起点から距離ＬＬ（Ｌａ１、Ｌａ２、Ｌａ３、Ｌａ４、．．やＬｂ１、Ｌｂ２、Ｌｂ３、Ｌｂ４、．．）だけ離れた箇所に繊維、糸及び紐またはそれらの組み合わせと複数本の箔糸、着色糸、着色紐を加えて束として、この束（または箔糸、糸、紐）の長さ２分の１の場所で図３のように縛り付けておき、撚り紐２ａを作っておき、起点ＯからＡ側の離れた複数の箇所で同様にいくつかの撚り紐（２ｂ、２ｃ、から２ｉ）を作っておく。【００１２】また、起点ＯからＢ側の離れた複数の箇所ＬＲ（Ｌｂ１、Ｌｂ２、Ｌｂ３、Ｌｂ４、．．）にてＡ側と同様に撚り紐３ａから撚り紐３ｊを作っておく。【００１３】Ａ側の撚り紐２ａ、２ｂから２ｉをＰ１から撚り紐１と撚っておき、更にＢ側の撚り紐３ａ、３ｂから３ｊをＡ側と同様に撚り紐１と撚っておき、Ａ側及びＢ側の撚りが完成するとＡ側とＢ側とを一緒に撚り、解けないように手元部を結んでおく。
【発明の効果】
【００１４】本発明の独楽紐は先端部が撚り紐１を折り返して紐の先端部を構成しているため、従来の独楽紐先端部緩みがなくしっかりと作ることができるので、耐久性は格段に向上している。【００１５】また、独楽紐先端部に結び目を作る必要がないので、独楽への紐の巻き付けに独楽本体を縦方向に周回する結びを不要としている。【００１６】本発明の独楽紐の太さ調節が計画的に行えるので、その製作手順の中で上記撚り紐２ａ、２ｂ、など及び撚り紐３ａ、３ｂ、などに独楽紐の色彩を付加する着色糸、金箔糸、銀箔糸などの配置が予め決めておくことができるため、美的な独楽紐を計画的に作ることができる。
【図面の簡単な説明】
【００１７】
【図１】点線の部分は細部を省略するものの本発明の独楽紐の外観図
【図２】本発明の独楽紐製作の紐構成配置図
【図３】撚り紐１に撚り紐２や撚り紐３を固定する方法例の説明図
【図４】点線の部分は細部を省略するものの従来事例の独楽紐の外観図
【発明を実施するための形態】
【００１８】本発明は麻、綿や合成繊維の繊維、糸及び紐またはそれらの組み合わせを撚り合わせて独楽紐を構成するが、従来の独楽紐の製作が、製作者の勘と経験に基づき撚り合わる過程で麻や綿の繊維を増やし、先が細く手元が太くなる独楽紐としているが、本発明は基をなす紐である撚り紐１を２つ折りし、その中央点Ｏの両側をＡ側とＢ側として、それぞれの側の数カ所に所定の長さを持つ繊維、糸、紐を束とした撚り紐２（撚り紐２ａ、２ｂ、２ｃ、．．２ｉの総称）または撚り紐３（撚り紐３ａ、３ｂ、３ｃ、．．３ｊの総称）を縛り付け、撚り紐１と複数の撚り紐２または撚り紐３を個々に撚り合わせて、さらにＡ側とＢ側との撚り上がった紐を撚り合わせて、さらにＡ側とＢ側とを撚り合わせて、最後に撚りが解けないように手元部で結び合わせ、結び目の反対側の繊維等を解して整える方法をとる。
【００１９】本発明の独楽紐は、製作過程の撚り紐２または撚り紐３の繊維、糸及び紐またはそれらの組み合わせの纏め方、長さは設計段階で定めることができるので、先端は撚り紐１の２本撚りから撚り紐２及び撚り紐３の構成で定まる手元の太さと共に、着色した糸、紐や金糸、銀糸の混ぜ方で独楽紐の色の配色が定まる。
【実施例】
【００２０】実施例を図２、図３を用いて、また、撚り紐２及び撚り紐３はそれぞれ４箇所で追加することで説明する。所望の長さＬｏの独楽紐を作るためには、撚りによる紐の編み込み率ｋを考慮して、撚り紐１の長さＬを式１により求め、撚り紐１の長さの中央箇所を起点Ｏとして図２のＡ−Ｏ−Ｂのように配置する。【００２１】また、起点ＯからＡ側に距離Ｌａ１のところＰ１で、撚り紐１に結びつける撚り紐２ａを撚り紐１の太さ２乃至６倍の繊維、糸、紐を集めて束状として、その束状の長さを式２に従い準備し、その束状の中央部分を図３のように、撚り紐１の撚りを緩めて、撚り紐１の中を潜らせ図３のように結びつける。【００２２】撚り紐２ａには、紐を構成する繊維、糸及び紐おおびそれらの組み合わせのほか着色した繊維や糸並びに金箔糸、銀箔糸のように色彩を華やかにする紐状体を所望の太さの中で加えておき、結びつけた撚り紐２ａとなる箔糸、繊維、糸、紐の乱れを整えておく。【００２３】撚り紐２ｂ、２ｃ、２ｄと撚り紐３ａ、３ｂ、３ｃ、３ｄは、撚り紐２ａと同様、束の構成及び長さを指定の箔糸、繊維、糸及び紐またはそれらの組み合わせを結びつけ準備しておく。【００２４】撚り紐２ａ、２ｂ、２ｃ、２ｄ及び撚り紐３ａ、３ｂ、３ｃ、３ｄとすべての撚り紐が準備された後、Ｐ１を起点に撚り紐２ａのＸ側と撚り紐１を束ね、撚り紐２ａのＹ側とで撚り、Ｐ２に至ったとき、Ｐ２直前までに撚られた紐状体の残りの部分とＰ２のＸ側とを束ねて、Ｐ２のＹ側と撚り合わせる。さらにＰ３やＰ４で撚り合わせ、手元部までつづける。また、Ｑ側もＰ側と同様に撚り合わせる。【００２５】Ａ側のＰ１からＰ４とその残部までが撚り合わされ、Ｂ側のＱ１からＱ４とその残部までが撚り合わされると、独楽紐全体の撚り合わが可能となる。全体の撚り合わせはＯ点を起点にＡ側とＢ側を撚り合わせてＡ側とＢ側と反対の向きでの撚り合せる。最後に手元部で各々の紐が解けないように止め結びを行い、残余の部分の撚り合せをほどき房状に戻しておく。
【産業上の利用可能性】
【００２６】本発明の独楽紐を作る方法は、その太さが変化する紐で、技能者の勘と経験により素材を徐々に追加する方法によらず、段階的に変化させ視覚的には連続的な太さ変化と見える用途として紐状のネクタイや各種飾り紐で、この技術は利用可能である。【００２７】本発明においては手作業にて製造手順を記述したが、一部及び全工程を機械化することは本発明の手順を同じくする限り本特許の権利に含まれるものとする。
【符号の説明】
【００２８】１  一部を省略した本発明の独楽紐
２  撚り紐１を撚って作る独楽紐先端部
３  本発明の独楽紐手元部で撚り紐１、撚り紐２及び撚り紐３すべてを撚り作られる手元部
４  独楽紐ほつれを防ぐ結び合わせ部
５  結び合わせ部を外れた部分の繊維を解いた部分
２１  単一の撚り紐１
２２  撚り紐１を緩めて撚り紐２または撚り紐３を通す隙間
２５  撚り紐１の隙間を通し結び合わせた撚り紐２または撚り紐３
３１  一部を省略した従来の独楽紐外観図
３３  従来事例の独楽紐の手元部
３４  独楽紐ほつれを防ぐ手元側の結び合わせ部
３５  結び合わせ部を外れた手元部の部分の繊維を解いた部分
３６  独楽紐ほつれを防ぐ先端部の結び合わせ部
３７  結び合わせ部を外れた先端部の部分の繊維を解いた部分
ｋ  紐の編み込み率
Ｏ  本発明の撚り紐１の中央で２分した起点を示す
Ａ、Ｂ  本発明の撚り紐１の中央で２分した各側の識別
Ｌ  撚り紐１の撚る前の所要の長さ
Ｌｏ  独楽紐の所要長さ
Ｌａ、Ｌｂ  本発明の撚り紐１の中央で２分した各側の長さ
Ｌａ１、Ｌａ２、Ｌａ３、Ｌａ４  撚り紐２の各々の撚り紐の結び付け位置のＯからの距離
Ｌｂ１、Ｌｂ２、Ｌｂ３、Ｌｂ４  撚り紐３の各々の撚り紐の結び付け位置のＯからの距離
Ｌａｂｉ  撚り紐２または撚り紐３の所要長さを総合的に示しており、各ＰまたはＱでの撚った後の所要長さを示す。
Ｌｐｑｉ  撚り紐２または撚り紐３の準備長さを総合的に示しており、各ＰまたはＱでの撚る前の所要長さを示す。
Ｐ１、Ｐ２、Ｐ３、Ｐ４  上記のＬａ１、Ｌａ２、Ｌａ３、Ｌａ４での撚り紐１のＡ側の位置
Ｑ１、Ｑ２、Ｑ３、Ｑ４  上記のＬｂ１、Ｌｂ２、Ｌｂ３、Ｌｂ４での撚り紐１のＢ側の位置
Ｘ、Ｙ  撚り紐２または撚り紐３を撚り紐１上で結び合わせたときの２分するときの識別
【図１】
2015051244.tif 000003
【図４】
2015051244.tif 000004
【図２】
2015051244.tif 000005
【図３】
2015051244.tif 000006
2015051244.tif 000007
【手続補正書】
【提出日】平成25年11月7日(2013.11.7)
【手続補正２】
【補正対象書類名】図面
【補正対象項目名】全図
【補正方法】変更
【補正の内容】
【図１】
2015051244.tif 000008
【図２】
2015051244.tif 000009
【図３】
2015051244.tif 000010
【図４】
2015051244.tif 000011
【手続補正３】
【補正対象書類名】明細書
【補正対象項目名】００２０
【補正方法】変更
【補正の内容】
【００２０】  実施例を図２、図３を用いて、また、撚り紐２及び撚り紐３はそれぞれ４箇所で追加することで説明する。所望の長さＬｏの独楽紐を作るためには、撚りによる紐の編み込み率ｋを考慮して、撚り紐１の長さＬを下記の式（数１）により求め、撚り紐１の長さの中央箇所を起点Ｏとして図２のＡ−Ｏ−Ｂのように配置する。
【数１】
2015051244.tif 000012
【手続補正４】
【補正対象書類名】明細書
【補正対象項目名】００２１
【補正方法】変更
【補正の内容】
【００２１】  また、起点ＯからＡ側に距離Ｌａ１のところＰ１で、撚り紐１に結びつける撚り紐２ａを撚り紐１の太さ２乃至６倍の繊維、糸、紐を集めて束状として、その束状の長さを下記の式（数２）に従い準備し、その束状の中央部分を図３のように、撚り紐１の撚りを緩めて、撚り紐１の中を潜らせ図３のように結びつける。
【数２】
2015051244.tif 000013
但し、ｉは、撚り紐２のときには、Ｐ１，Ｐ２，Ｐ３，Ｐ４の識別番号を示し、また、撚り紐３のときにはＱ１、Ｑ２、Ｑ３、Ｑ４の識別番号を示す。
【手続補正５】
【補正対象書類名】特許請求の範囲
【補正対象項目名】請求項１
【補正方法】変更
【補正の内容】
【請求項１】
独楽を回す独楽紐で太さとしなやかさが先端から手元部との間で変化する独楽紐において、基をなす独楽紐の撚り紐１を中央で折り返し、折り返し点からの複数距離点にて、独楽紐の太さやしなやかさを変える繊維、糸及び紐あるいはそれらの組み合わせである撚り紐２及び撚り紐３と撚り紐１に結び合わせ、撚り紐１と撚り紐２または撚り紐３と共に個々及び隣り合った撚り紐２または撚り紐３並びに全体を撚り合わせ、手元部にて解けるのを防ぐための結び目を作り、結び目からはつれた紐部分を解き、長さをそろえた独楽紐及び独楽紐製造法。